(57)【要約】【課題】バッテリー切れに気付かずシャッターチャンス逃してしまうこと、または失敗写真の可能性のある場合のユーザーへの注意喚起と見えやすいファインダー表示とを両立させる手法を提供すること。【解決手段】バッテリー残容量を取得可能な撮像装置において、ファインダーと、ファインダー内に表示させる複数のセグメントと、前記複数のセグメントを表示させる表示手段と、前記複数のセグメントを表示させるか否かを設定する設定手段と、前記設定手段の結果、表示させない設定になっている場合にも、表示させるか判定する判定手段と、前記判定手段の結果から前記セグメントを表示するように前記表示手段を制御する制御手段とを有することを特徴とする。【選択図】図３
2016092798.tif 000002
【特許請求の範囲】
【請求項１】
バッテリー残容量を取得可能な撮像装置において、
ファインダー（１６）と、
ファインダー内に表示させる複数のセグメント（４１）と、
前記複数のセグメントを表示させる表示手段（４３）と、
前記複数のセグメントを表示させるか否かを設定する設定手段（２５）と、
前記設定手段の結果、表示させない設定になっている場合にも、表示させるか判定する判定手段（４０）と、
前記判定手段の結果から前記セグメントを表示するように前記表示手段を制御する制御手段（４０）と、
を有することを特徴とする撮像装置。
【請求項２】
前記判定手段（４０）は、前記設定手段の結果、バッテリーセグメントを表示させない設定になっている場合に、バッテリーの残容量が少ない時、又はバッテリーが故障している時、前記バッテリーセグメントを表示するように判定を行うことを特徴とする請求項１に記載の撮像装置。
【請求項３】
前記判定手段（４０）は、前記設定手段の結果、ヒストグラムセグメントを表示させない設定になっている場合に、黒つぶれ又は白つぶれしている画素が、所定の値を超えている時、前記ヒストグラムを表示するように判定を行うことを特徴とする請求項１に記載の撮像装置。
【請求項４】
前記判定手段（４０）は、前記設定手段の結果、露出に関するセグメントを表示させない設定になっている場合に、ユーザーが設定した露出にすることができなかった場合に、前記露出に関するセグメントを表示するように判定を行うことを特徴とする請求項１に記載の撮像装置。
【請求項５】
ファインダーを具備するバッテリー残容量を取得可能な撮像装置の制御方法であって、
ファインダー内に表示させる複数のセグメント（４１）と、
前記複数のセグメントを表示させる表示工程（４３）と、
前記複数のセグメントを表示させるか否かを設定する設定工程（２５）と、
前記設定工程の結果、表示させない設定になっている場合にも、表示させるか判定する判定工程（４０）と、
前記判定工程の結果から前記セグメントを表示するように前記表示工程を制御する制御工程（４０）と、
を有することを特徴とする撮像装置の制御方法。
【請求項６】
前記判定工程（４０）は、前記設定工程の結果、バッテリーセグメントを表示させない設定になっている場合に、バッテリーの残容量が少ない時、又はバッテリーが故障している時、前記バッテリーセグメントを表示するように判定を行う、ことを特徴とする請求項５に記載の撮像装置。
【請求項７】
前記判定工程（４０）は、前記設定工程の結果、ヒストグラムセグメントを表示させない設定になっている場合に、黒つぶれ又は白つぶれしている画素が、所定の値を超えている時、前記ヒストグラムを表示するように判定を行うことを特徴とする請求項５に記載の撮像装置。
【請求項８】
前記判定工程（４０）は、前記設定工程の結果、露出に関するセグメントを表示させない設定になっている場合に、ユーザーが設定した露出にすることができなかった場合に、前記露出に関するセグメントを表示するように判定を行うことを特徴とする請求項５に記載の撮像装置。
【請求項９】
請求項５乃至請求項８の何れか一項に記載の撮像装置の制御方法をコンピュータに実行させる為のコンピュータプログラム。
【発明の詳細な説明】
【技術分野】
【０００１】
本発明は、電子スチルカメラ等の撮像装置に関し、特に液晶表示を行う撮像装置の制御方法に関する。
【背景技術】
【０００２】
ファインダーを覗いて撮影を行うスタイルが一般的な一眼レフカメラにおいては、従来からファインダーの中で、カメラの設定や状態を確認出来ることが望まれており、近年、それらいろいろな設定値やカメラの状態をファインダーの中で確認することを可能にしている製品が増えてきている。中には、表示したい項目をユーザーに選ばせて、その項目だけ表示させる製品もある。こうすることでユーザーの多様性にカメラを対応させることが可能になると共に、ファインダーには、あえて何も表示させず、被写体を見えやすくすることも可能となる。
【０００３】
また、表示の仕方をユーザーに選択させる手法として、複数の表示態様を選択し、選択された表示態様に従って表示をだす、特許文献１のような手法も提案されている。
【先行技術文献】
【特許文献】
【０００４】
【特許文献１】特開２００５−３４８１９６号公報
【発明の概要】
【発明が解決しようとする課題】
【０００５】
しかし、ファインダーの中で表示させる項目の内、表示させないようにユーザーが設定していたとしても、ユーザーが不利益を被る可能性が発生した場合は、表示をさせたほうが良い場合もある。もしこのような時でも表示をさせないでいると、シャッターチャンスを逃したり、失敗写真を増やしたりしてしまうという課題がある。
【０００６】
本発明の目的は、電池残量が少ない時や失敗写真のリスクを把握しつつ、見えやすいファインダー表示を行うことが可能な撮像装置を提供することにある。
【課題を解決するための手段】
【０００７】
上記の目的を達成する為に、本発明は、バッテリー残容量を取得可能な撮像装置において、ファインダーと、ファインダー内に表示させる複数のセグメントと、前記複数のセグメントを表示させる表示手段と、前記複数のセグメントを表示させるか否かを設定する設定手段と、前記設定手段の結果、表示させない設定になっている場合にも、表示させるか判定する判定手段と、前記判定手段の結果から前記セグメントを表示するように前記表示手段を制御する制御手段とを有することを特徴とする。
【発明の効果】
【０００８】
本発明によれば、電池残量が少ない時や失敗写真のリスクを把握しつつ、見えやすいファインダー表示を行うことが可能な撮像装置の提供を実現できる。
【図面の簡単な説明】
【０００９】
【図１】本発明の第１実施形態としての撮像装置の構成ブロック図である。
【図２】（ａ）、（ｂ）は本発明の第１、第２実施形態としての撮像装置の外観図である。
【図３】ファインダー内にアイコン表示を行う際の基本のフローチャートである。
【図４】ファインダー内に電池残量アイコン表示を行う際のフローチャートである。
【図５】ファインダー内に測光後にアイコン表示を行う際のフローチャートである。
【図６（ａ）】ファインダー内に全てのアイコンを表示するように設定した場合のＧＵＩ画面のイメージ図である。
【図６（ｂ）】図６（ａ）のように設定された場合のファインダー内のイメージ図である。
【図７（ａ）】ファインダー内に一部のアイコンを表示するように設定した場合のＧＵＩ画面のイメージ図である。
【図７（ｂ）】図７（ａ）のように設定された場合のファインダー内のイメージ図である。
【図８（ａ）】電池残量アイコンが表示された場合の、ファインダー内のイメージ図である。
【図８（ｂ）】露出値が表示された場合の。ファインダー内のイメージ図である。
【図８（ｃ）】ヒストグラムが表示された場合の、ファインダー内のイメージ図である。
【発明を実施するための形態】
【００１０】
以下に、本発明の好ましい実施の形態を、添付の図面に基づいて詳細に説明する。
【００１１】
図１は本発明の一実施形態としての撮像装置２００の構成ブロック図である。レンズユニット１００は、交換可能な撮影レンズを搭載するレンズユニットである。レンズ５は通常、複数枚のレンズから構成されるが、ここでは簡略して一枚のレンズのみで示している。通信端子６はレンズが撮像装置側と通信を行う為の通信端子であり、通信端子１０は撮像装置がレンズ側と通信を行う為の通信端子である。
【００１２】
レンズユニット１００は、この通信端子６，１０を介してマイクロコンピュータ４０と通信し、内部のレンズシステム制御回路４によって絞り駆動回路２を介して絞り１の制御を行い、ＡＦ駆動回路３を介して、レンズ５の位置を変位させることで焦点を合わせる。また、マイクロコンピュータ４０は、この通信端子６，１０を介して、レンズユニット１００の開放絞り値、及び最小絞り値を取得する。
【００１３】
ＡＥセンサー１５は、レンズユニット１００を通した被写体の輝度を測光する。ＡＦセンサー１１は、マイクロコンピュータ４０にデフォーカス量情報を出力する。マイクロコンピュータ４０はそれに基づいてレンズユニット１００を制御する。クイックリターンミラー１２は、露光の際にマイクロコンピュータ４０から指示されて、不図示のアクチュエータによりアップダウンされる。
【００１４】
撮影者は、ペンタプリズム１４とファインダー１６を介して、フォーカシングスクリーン１３を観察することで、レンズユニット１００を通して得た被写体の光学像の焦点や構図の確認が可能となる。
【００１５】
フォーカルプレーンシャッター１７は、マイクロコンピュータ４０の制御で撮像素子２０の露光時間を自由に制御できるフォーカルプレーンシャッターである。光学フィルター１８は一般的にローパスフィルターなどから構成され、フォーカルプレーンシャッター１７より入ってくる光の高周波成分をカットして、撮像素子２０に被写体像を導光する。
【００１６】
撮像素子２０は、一般的にＣＣＤやＣＭＯＳ等が用いられる撮像素子であり、レンズユニット１００を通して撮像素子２０上に結像された被写体象を光電変換して電気信号として取り込む。ＡＭＰ回路２１は、取り込まれた電気信号に対して、設定されている撮影感度に応じたゲインで撮影信号を増幅する。Ａ／Ｄ変換回路２２は撮像素子２０によって電気信号に変換されたアナログ信号をデジタル信号に変換する。
【００１７】
画像処理回路２３は、Ａ／Ｄ変換回路２２によってデジタル信号に変換された画像データに対して、フィルター処理、色変換処理、ガンマー／ニー処理を行い、メモリコントローラ２７に出力する。また、画像処理回路２３はＤ／Ａ変換回路も内蔵している。画像処理回路２３はＡ／Ｄ変換回路２２によってデジタル信号に変換された画像データやメモリコントローラ２７により入力される画像データをアナログ信号に変換して液晶駆動回路２４を介して液晶表示部２５に出力することもできる。
【００１８】
これらの画像処理回路２３による画像処理及び表示処理は、マイクロコンピュータ４０により切り替えられる。また、マイクロコンピュータ４０は、撮影画像のカラーバランス情報をもとにホワイトバランス調整を行う。
【００１９】
液晶表示部２５は画像を表示するための背面モニタである。画像を表示するディスプレイであれば液晶方式に限らず、有機ＥＬなど他の方式のディスプレイであってもよい。
【００２０】
メモリコントローラ２７は、画像処理回路２３から入力された未処理の画像データをバッファメモリ２６に格納したり、或いは画像処理済みの画像データを記録媒体２８に格納したりする。また、逆にバッファメモリ２６や記録媒体２８から画像データを取り込んで画像処理回路２３に出力したりもする。また、メモリコントローラ２７は、外部インターフェース２９を介して送られてくる画像データを記録媒体２８に格納したり、逆に記録媒体２８に格納されている画像データを外部インターフェース２９を介して外部に出力することも可能である。
【００２１】
外部インターフェースとしては、ＵＳＢ、ＩＥＥＥ、ＨＤＭＩ（登録商標）などのインターフェースが例として挙げられる。記録媒体２８は、メモリカードなどの着脱可能な記録媒体である。ただし内蔵メモリであってもよい。タイミング制御回路３２を介してマイクロコンピュータ４０は、撮像素子２０の駆動タイミングを制御する。
【００２２】
電源制御回路３５は、ＡＣ電源部３０、もしくは２次電池部３１より供給され電源を制御する回路である。電源制御回路３５はマイクロコンピュータ４０から指示を受けて電源のオンオフを行う。また電源制御回路３５は電源状態検知回路３４により検知された現在の電源状態の情報や電源種類検知回路３３により検知された現在の電源の種類の情報をマイクロコンピュータ４０に通知することも行う。
【００２３】
マイクロコンピュータ４０はシャッター制御回路３６を介してフォーカルプレーンシャッター１７を制御する。光学フィルター振動制御回路３７は、光学フィルター１８に接続されている圧電素子１９を振動させる回路である。振動の振幅、振動時間、振動の軸方向をそれぞれ所定の値で圧電素子を振動させるように、マイクロコンピュータ４０の指示に従い振動させる。
【００２４】
不揮発性メモリ３８は不揮発性の記録媒体であり、ユーザーが任意に設定したシャッター速度、絞り値、撮影感度などの設定値やその他の各種データを撮像装置に電源が入れられていない状態でも、保存することができる。揮発性メモリ３９は、撮像装置の内部状態や着脱可能な記録媒体２８の情報など、一時的に記憶しておきたいデータを保存しておく。
【００２５】
４１はファインダー内液晶表示部で、ファインダー内液晶駆動回路４２を介して、現在オートフォーカスが行われている測距点を示す枠や、クロップマスク表示、クロップ枠、方眼線などが表示される。４３は、ファインダー外液晶表示部で、ファインダー外液晶駆動回路４４を介して、シャッター速度や絞りをはじめとするカメラの様々な設定値が表示される。
【００２６】
操作部７０は、ユーザーからの操作を受け付ける入力部としての各種操作部材である。操作部７０には、少なくとも以下の操作部が含まれる。レリーズ釦２０１、メイン電子ダイヤル２０２、サブ電子ダイヤル２０３、電源スイッチ２０４、プロテクト釦２０５、メニュー釦２０６、削除釦２０７、拡大モード釦２０８、再生指示釦２０９、シングル／マルチ切り替え釦２１０、マルチコントローラ２１１。
【００２７】
マイクロコンピュータ４０は、撮像装置２００に含まれる各部を制御する制御部である。マイクロコンピュータ４０は、不揮発性メモリ３８に記録されたプログラムを、揮発性メモリ３９をワークメモリとして展開し、実行することで後述の各種処理を実行する。
【００２８】
図２（ａ）は、撮像装置全体２００の正面からの外観形状を示した図であり、図２（ｂ）は、撮像装置全体２００の背面からの外観形状を示した図であり、図２（ｃ）は、ファインダー外液晶表示部に表示されたアイコン群を示した図である。図１と共通する部分は、同じ記号で示している。
【００２９】
レリーズ釦２０１は、撮影の準備指示及び撮影指示を行うための釦であり、釦を半押しすることで、被写体の輝度の測定や合焦を行う。また、釦を全押しすることでシャッターが切られ画像の撮影が行われる。またこの時、ユーザーによる設定で、タイムラプス撮影を行う設定になっていた場合、釦の全押しは、画像の撮影と同時に、タイムラプス開始釦として機能する。
【００３０】
メイン電子ダイヤル２０２は回転操作部材であり、ユーザーは、このメイン電子ダイヤル２０２を回すことでシャッター速度や絞りなどの設定値の設定を行ったり、拡大モードでの拡大倍率の微調整を行う。
【００３１】
サブ電子ダイヤル２０３は回転操作部材であり、ユーザーは、このサブ電子ダイヤル２０３を回すことで絞りや露出補正などの設定値の設定を行ったり、画像表示状態での画像の１枚送り操作などを行う。
【００３２】
電源スイッチ２０４は電源のＯＮ及びＯＦＦを行うための操作部材である。プロテクト釦２０５は、撮像装置内外の記録媒体に保存されている画像に対して、プロテクトやレーティングといった処理を施す為の釦である。
【００３３】
メニュー釦２０６は、各種設定画面を液晶表示部２５に表示させる為の釦である。削除釦２０７は、撮像装置内外の記録媒体に保存されている画像に対して、削除を指示する釦である。拡大モード釦２０８は、再生状態において、拡大モードへの遷移指示（拡大モードの開始指示）、及び拡大モードから抜ける指示（拡大モードの終了指示）を行う操作を受付ける釦である。
【００３４】
再生指示釦２０９は、撮像装置内外の記録媒体に保存されている画像を液晶表示部２５に表示させる釦である。測距点選択釦２１０は、オートフォーカスの開始ポイントである測距点を選択するモードに入る為の釦である。マルチコントローラ２１１は、オートフォーカスの開始ポイントである測距点の設定を行ったり、拡大画像表示状態において、拡大枠（拡大している範囲）の移動を行ったりするための複数方向に操作可能な操作部材である。
【実施例１】
【００３５】
以下、図３、図６、図７を参照して、本発明の第１の実施例による、ファインダー内にアイコンを表示する手法について説明する。
【００３６】
まずステップＳ１００では、メインＳｗ２０４がスイッチＯｎ状態であるか否か判定し、スイッチＯｎ状態であれば、ステップＳ１０１に進み、スイッチＯｎ状態でなければ、終了する。
【００３７】
ステップＳ１０１では、不揮発性メモリ３８に格納されているファインダー内設定登録値を取得する。ファインダー内設定登録値は、図６（ａ）に示すＧＵＩイメージ図で、ユーザーによって設定される。
【００３８】
ステップＳ１０２では、ステップＳ１０１で取得したファインダー内設定登録値に従い、表示するように登録されているアイコンをファインダー内に表示するように、ファインダー内液晶駆動回路４２を介して、ファインダー内液晶表示部４１に表示される。この時、図６（ａ）に示されるように設定されていた場合は、図６（ｂ）に示されるように、ファインダー内液晶表示部４１に表示される。また、図７（ａ）に示されるように、特定のアイコンを表示しないように設定されていた場合は、図７（ｂ）に示されるように、ファインダー内液晶表示部４１に表示される。
【００３９】
ステップＳ１０３では、ステップＳ１０２で消灯させたアイコン群において、点灯させる必要がある場合においてのみ、点灯させる処理を行う。処理については後に詳述する。
【００４０】
次に、図４、図７、図８（ａ）を参照して、ユーザーにより特定のアイコンを消灯させるように設定していても、点灯させる場合の表示手法について説明する。
【００４１】
まず、ステップＳ２００で、ステップＳ１０１で取得したファインダー内設定登録値の結果、電池アイコンを消灯させる設定になっているか否か判定し、消灯させる設定になっていればステップＳ２０１に進み、消灯させる設定になっていなければステップＳ２０４に進む。
【００４２】
ステップＳ２０１では、マイクロコンピュータ４０より、電源状態検知回路３４を介して、現在の電池残量を取得する。
【００４３】
ステップＳ２０２では、ステップＳ２０１で取得した電池残量が閾値を下回っているか否か判定し、下回っていればステップＳ２０３に進み、下回っていなければステップＳ２０４に進む。
【００４４】
ステップＳ２０３では、マイクロコンピュータ４０より、ファインダー内液晶駆動回路４２を介して、電池アイコンが表示される。この時、電池アイコンを消灯する設定になっていたとしても、図８（ａ）に示されるように、ファインダー内液晶表示部４１に表示される。
【００４５】
ステップＳ２０４では、消灯するように設定したアイコンの内、特に測光を必要とするアイコンに関しての表示処理を行う。処理については後に詳述する。
【００４６】
次に、図５、図７、図８（ｂ）、図８（ｃ）を参照して、消灯するように設定していても点灯させる場合の表示手法の内、測光を必要とするアイコンに関する表示手法について説明する。
【００４７】
まずステップＳ３００では、測光開始釦が押下されているか否か、即ちレリーズ釦２１０が半押しされているか否か判定し、押下されていれば、ステップＳ３０１に進み、押下されていなければ終了する。
【００４８】
ステップＳ３０１では、被写体輝度を取得する。ステップＳ３０２では、ステップＳ１０１で取得したファインダー内設定登録値の結果、ヒストグラム情報を消灯させる設定になっているか否か判定し、消灯させる設定になっていればステップＳ３０３に進み、消灯させる設定になっていなければステップＳ３０６に進む。
【００４９】
ステップＳ３０３では、ステップＳ３０１で取得した被写体輝度と現在の設定値を元に、暗い成分の画素数が閾値を下回っているか否か判定し、下回っていればステップＳ３０５に進み、下回っていなければステップＳ３０４に進む。
【００５０】
ステップＳ３０４では、ステップＳ３０１で取得した被写体輝度と現在の設定値を元に、明るい成分の画素数が閾値を上回っているか否か判定し、上回っていればステップＳ３０５に進み、上回っていなければステップＳ３０６に進む。
【００５１】
ステップＳ３０５では、マイクロコンピュータ４０より、ファインダー内液晶駆動回路４２を介して、ヒストグラム情報が表示される。この時、ヒストグラム情報を消灯する設定になっていたとしても、図８（ｃ）に示されるように、ファインダー内液晶表示部４１に表示される。
【００５２】
ステップＳ３０６では、ステップＳ１０１で取得したファインダー内設定登録値の結果、露出情報を消灯させる設定になっているか否か判定し、消灯させる設定になっていればステップＳ３０７に進み、消灯させる設定になっていなければ終了する。
【００５３】
ステップＳ３０７では、ステップＳ３０１で取得した被写体輝度と現在の設定値を元に、適正露出で写真が撮影出来るか否か判定し、適正露出で写真撮影可能でなければステップＳ３０８に進み、適正露出で写真撮影可能なら終了する。
【００５４】
ステップＳ３０８では、マイクロコンピュータ４０より、ファインダー内液晶駆動回路４２を介して、露出情報が表示される。この時、露出情報を消灯する設定になっていたとしても、図８（ｂ）に示されるように、ファインダー内液晶表示部４１に表示される。
【００５５】
以上のように制御することで、ユーザーがファインダー内に情報を表示しないように設定していても、電池残量不足でカメラが動作不能になる可能性がある場合や、失敗写真の可能性がある場合は、ユーザーが撮影中に未然に気付くことが出来るようになり、ユーザーへの注意喚起とユーザーの希望する見えやすいファインダー表示とを両立させることが可能となる。
【００５６】
以上、本発明の好ましい実施形態について説明したが、本発明はこれらの実施形態に限定されず、その要旨の範囲内で種々の変形及び変更が可能である。
【符号の説明】
【００５７】
１  絞り、２  絞り駆動回路、３  ＡＦ駆動回路、４  レンズシステム制御回路、
５  レンズ、６  レンズ側通信部、１０  カメラ側通信部、１１  ＡＦセンサ、
１２  ミラー、１３  フォーカシングスクリーン、１４  ペンタプリズム、
１５  ＡＥセンサー、１６  アイピースユニット、
１７  フォーカルプレーンシャッター、１８  光学フィルター、１９  圧電素子、
２０  撮像素子、２１  ＡＭＰ回路、２２  Ａ／Ｄ変換回路、２３  画像処理回路、
２４  液晶駆動回路、２５  液晶表示部、２６  バッファメモリ、
２７  メモリコントローラ、２８  外部メモリ、２９  インターフェース、
３０  ＡＣ電源部、３１  ２次電池部、３２  タイミング制御回路、
３３  電源種類検知回路、３４  電源状態検知回路、３５  電源制御回路、
３６  シャッター制御回路、３７  光学フィルター振動制御回路、
３８  不揮発性メモリ、３９  揮発性メモリ、４０  マイクロコンピュータ、
４１  ファインダー内液晶表示部、４２  ファインダー内液晶駆動回路、
４３  ファインダー外液晶表示部、４４  ファインダー外液晶駆動回路、７０  操作部
【図１】
2016092798.tif 000003
【図２】
2016092798.tif 000004
【図３】
2016092798.tif 000005
【図４】
2016092798.tif 000006
【図５】
2016092798.tif 000007
【図６（ａ）】
2016092798.tif 000008
【図６（ｂ）】
2016092798.tif 000009
【図７（ａ）】
2016092798.tif 000010
【図７（ｂ）】
2016092798.tif 000011
【図８（ａ）】
2016092798.tif 000012
【図８（ｂ）】
2016092798.tif 000013
【図８（ｃ）】
2016092798.tif 000014